(57)【要約】【課題】覗き孔から離れた状態で覗き孔を直接覗く事なく幻想的な模様を見ることができる万華鏡を提供する。また、本体を安定した状態で頭部に装着できる形状にする事を可能にする。また、ＣＤ等により使用者が自由に選んだ音楽や、音楽演奏または音楽放送等に応じて作動する万華鏡装置を提供する。【構成】光路に反射像写像手段を備え、拡大し接眼手段に伝送する。また、音声入力手段を備え、入力される音声に応じて入力切り替えされ、オブジェクトをモータで回転または動作させるとともに照明手段でオブジェクトに光を照射する。【選択図】　図３
2004004413.tif 000002
【特許請求の範囲】
【請求項１】
筒体の内部に内面を鏡面とする多角中空筒体が収容されている万華鏡において、当該多角中空筒体の一端に写像手段を備え、当該写像手段により写像した反射像を拡大するレンズが備えられていることを特徴とする万華鏡。
【請求項２】
頭部装着手段および接眼手段を備え、当該接眼手段に反射像を伝送させる事を特徴とする請求項１記載の万華鏡。
【請求項３】
筒体の内部に内面を鏡面とする多角中空筒体が収容されている万華鏡において、音声入力手段を備え、当該音声入力手段から入力される音声に応じて入力切り替えされる照明手段が介装されていることを特徴とする万華鏡。
【請求項４】
筒体の内部に内面を鏡面とする多角中空筒体が収容されている万華鏡において、音声入力手段を備え、当該音声入力手段から入力される音声に応じて入力切り替えされ、オブジェクトを動作させるモータを備えていることを特徴とする万華鏡。
【発明の詳細な説明】
【０００１】
【発明の属する技術分野】
本発明は、万華鏡に係り、特に多様に変化する反射像を見ることができるようにした万華鏡に関するものである。
【０００２】
【従来の技術】
万華鏡は鏡による反射現象を巧みに利用した玩具として一般的に知られている。従来の万華鏡においては、覗き孔から見ると、小片が鏡面に反射して幻想的な模様を見ることができるというものであった。
【０００３】
しかしながら従来の万華鏡においては、覗き孔から離れた状態では反射像を見る事ができず、覗き孔を直接覗いて鏡像を見る事しかできなかった。
【０００４】
また、従来の万華鏡においては、据置型のほか、筒体を手に持って覗き孔から直接鏡像を見るものであり、万華鏡を楽しみながらの活動が制限されるという問題点があった。
【０００５】
また、オルゴール等の内蔵音楽と共に楽しめるものもあるが、使用者が音楽を自由に選択する事ができず、反射像と音楽が同期していなかった。
【０００６】
【発明が解決しようとする課題】
そこで本発明は、覗き孔を直接覗く事なく離れた位置から幻想的な模様を見ることができる万華鏡を提供することを目的とするものである。
【０００７】
また他の目的は、安定した状態で頭部に装着し見ることができる万華鏡を提供することを目的とするものである。
【０００８】
更に他の目的は、ＣＤ等により使用者が自由に選んだ音楽や、音楽演奏または音楽放送等に応じて作動する万華鏡を提供することを目的とするものである。
【０００９】
【課題を解決するための手段】
上記の目的を達成するために本願発明の万華鏡では、写像手段、拡大レンズ、頭部装着手段、プリズムまたは斜鏡、音声入力手段、照明手段およびモータを備えているものである。
【００１０】
以下、本願発明の作用について説明する。請求項１においては、光路に反射像写像手段を備え、写像した反射像を拡大するレンズが備えられていることによって、覗き孔を直接覗く事なく離れた位置から反射像を見ることが可能である。また、透過オブジェクトの外側から内部に向けて光を照射し、万華鏡プロジェクターとして使用する事も可能である。
【００１１】
また、請求項２においては、写像した反射像を多角プリズムまたは斜鏡により接眼手段に伝達させる構造にする事で、本体を安定して頭部に装着できる形状にする事が可能である。
【００１２】
また、請求項３においては、音声入力手段を備え、当該音声入力手段から入力される音声に応じて入力切り替えされる照明手段を介装する事で、ＣＤ等により使用者が自由に選んだ音楽や、音楽演奏または音楽放送等に応じてオブジェクトに光を照射する事が可能である。
【００１３】
また、請求項４においては、音声入力手段を備え、当該音声入力手段から入力される音声に応じて入力切り替えされ、オブジェクトケースを動作させるモータを備える事で、ＣＤ等により使用者が自由に選んだ音楽や、音楽演奏または音楽放送等に応じてオブジェクトを動作させる事が可能である。
【００１４】
【発明の実施の形態】
以下、本発明をその実施の形態を示す図面を参酌しながら説明し、本発明の理解に供する。図１は本発明の第１の実施の形態に係る万華鏡の内部構造図であり、外筒１の内部に鏡筒２を形成し、反射像写像手段３、レンズ４、音声入力手段５、照明手段６、モータ７、オブジェクトケース８を備えている。
【００１５】
図２は本発明の第２の実施の形態に係る万華鏡の正面図であり、図１の機構を内蔵した外筒１、頂天プリズムまたは斜鏡９、接眼手段１０、頭部装着手段１１を備えている。
【００１６】
図３は本発明の第２の実施の形態に係る万華鏡の正面透視図であり、図１の機構を内蔵した外筒１、音声入力手段５、照明手段６、モータ７、オブジェクトケース８、頂天プリズムまたは斜鏡９、接眼手段１０、頭部装着手段１１を備えている。
【００１７】
図４は本発明の第２の実施の形態に係る万華鏡の平面図であり、音声レベルコントロールダイヤル１０、スイッチ１１を備えている。
【００１８】
図５は本発明の第２の実施の形態に係る万華鏡の側面図であり、音声入力端子１２、ヘッドホン端子１３、マイク１４を備えている。
【００１９】
図６は本発明の第２の実施の形態に係る万華鏡を前頭部に配置した実施例である。
【００２０】
図７は本発明の第２の実施の形態に係る万華鏡を側頭部に配置した実施例である。
【００２１】
上記した本発明の第１の実施の形態に係る万華鏡においては、反射像写像手段が備えられていることによって覗き孔を直接覗く事なく離れた位置から幻想的な模様を見ることが可能であると共に、音声入力手段から入力された音楽に応じてモータおよび照明手段が作動し、反射像の変化を楽しむことができるものである。また、オブジェクト側から写像手段に向けて光を照射し、万華鏡プロジェクターとして使用する事も可能である。
【００２２】
また、上記した本発明の第２の実施の形態に係る万華鏡においては、頭部装着手段を備え、プリズムまたは斜鏡により接眼手段に反射像を伝送させる事によって、頭部に安定した状態で装着することができるものである。更に音声入力手段を備え、当該音声入力手段から入力される音声に応じて入力切り替えされる照明手段およびモータを備えていることによって、音楽に応じた反射像の移り変わりを楽しめるものである。
【００２３】
なお、請求項１の反射像写像手段においては、球レンズ、複合広角レンズ、光ファイバーレンズなどが好適に使用できる。
【００２４】
また、請求項２の接眼手段においては、多角プリズムまたは自由曲面プリズム、または結像レンズ、または反射鏡、または透過スクリーンなどが好適に使用できる。
【００２５】
また、請求項３の音声入力手段においては、コンデンサマイクまたはライン入力端子が好適に使用できるが、両方備えている事が望ましい。また、ライン入力端子を備える場合は併せてヘッドホン出力端子を備える事が望ましい。
【００２６】
また、請求項３の入力音声に応じた入力切り替え手段においては、音量レベル検出装置を備えた電子回路が好適に使用できる。
【００２７】
また、請求項３の照明手段においては、発光ダイオードが好適に使用できる。また、入力音声の音量レベルまたは音域周波数によって発光色を変化させる事も可能である。
【００２８】
また、請求項４の音声入力手段においては、コンデンサマイク、ライン入力端子が好適に使用できるが、両方備えている事が望ましい。また、ライン入力端子を備える場合は併せてヘッドホン出力端子を備える事が望ましい。
【００２９】
また、請求項４の入力音声に応じた入力切り替え手段においては、音量レベル検出装置を備えた電子回路が好適に使用できる。
【００３０】
また、請求項４のモータにおいては、ステッピングモータが好適に使用できる。なお、入力された音楽に応じて動作速度を変化させる事も可能である。
【００３１】
また、請求項４のオブジェクトにおいては、小片を密封した透明容器のほか、ステンドグラス状の円形ホイールなども好適に使用できる。また、オブジェクトを取り出し交換して楽しむ事も可能である。
【００３２】
【発明の効果】
以上述べてきたように、本発明によれば、覗き孔から離れた状態で覗き孔を直接覗く事なく幻想的な模様を見ることが可能である。また、本体を安定した状態で頭部に装着できる形状にする事が可能である。また、ＣＤ等により使用者が自由に選んだ音楽や、音楽演奏または音楽放送等に応じてオブジェクトに光を照射することができる。更に、小片を移動させるために万華鏡を回転させなければならないといった煩雑さを解消するとともに、ＣＤ等により使用者が自由に選んだ音楽や、音楽演奏または音楽放送等に応じて自動的にオブジェクトを動作させることができる。
【図面の簡単な説明】
【図１】第１の実施の形態に係る万華鏡の透視図である。
【図２】本発明の第２の実施の形態に係る万華鏡の正面図である。
【図３】本発明の第２の実施の形態に係る万華鏡の正面透視図である。
【図４】本発明の第２の実施の形態に係る万華鏡の平面図である。
【図５】本発明の第２の実施の形態に係る万華鏡の側面図である。
【図６】本発明の第２の実施の形態に係る万華鏡を前頭部に配置した実施例である。
【図７】本発明の第２の実施の形態に係る万華鏡を側頭部に配置した実施例である。
【符号の説明】
１　　外筒
２　　鏡筒
３　　反射像写像手段
４　　レンズ
５　　電子回路基盤
６　　照明手段
７　　モータ
８　　オブジェクトケース
９　　斜鏡またはプリズム
１０　接眼手段
１１　頭部装着手段
１２　音声入力端子
１３　ヘッドホン端子
１４　マイク
１５　スイッチ
１６　入力レベル調整ダイヤル
【図１】
2004004413.tif 000003
【図２】
2004004413.tif 000004
【図３】
2004004413.tif 000005
【図４】
2004004413.tif 000006
【図５】
2004004413.tif 000007
【図６】
2004004413.tif 000008
【図７】
2004004413.tif 000009